(57)【要約】【課題】学習装置において、単語学習をより効果的に行う。【解決手段】タッチパネル式表示部１５に、問題として日本語の意味が表示され、その回答として英単語が手書き入力されると、答えである英単語との一致／不一致により正誤判定され、正解である場合には「○」印が表示されて正解が報知される。一方、不正解である場合に、前記回答としての英単語が辞書データベースにある別の英単語である場合には、その英単語の意味（日本語）が「×」印と共に表示されて不正解が報知され、［決定］キー１２の押下に応じて前記答えである英単語が表示される。【選択図】      図５
2015176000.tif 000002
【特許請求の範囲】
【請求項１】
答えである単語に対応した意味を問題として出力する問題出力手段と、
この問題出力手段により出力された問題に対する回答として単語を入力させる回答入力手段と、
この回答入力手段から入力された単語が正解である場合に正解であることを報知する正解報知手段と、
前記回答入力手段から入力された単語が不正解である場合に前記入力された単語が辞書の見出し語に存在すればその単語の意味を出力する別単語報知手段と、
を備えたことを特徴とする学習装置。
【請求項２】
前記回答入力手段から入力された単語が不正解である場合に前記入力された単語が前記答えである単語であって綴りの誤った単語であれば、綴りの誤りをユーザに認識させる綴り誤り認識手段と、
を備えたことを特徴とする請求項１に記載の学習装置。
【請求項３】
手書きの文字を入力するタッチパネルと、
このタッチパネルに入力された手書きの文字を認識する文字認識手段とを備え、
前記回答入力手段は、前記問題出力手段により出力された問題に対する回答としての単語をユーザ操作に応じて前記タッチパネルに入力させ、前記文字認識手段により認識された回答としての単語が正解か否かを判断させる、
ことを特徴とする請求項１または請求項２に記載の学習装置。
【請求項４】
前記問題出力手段は、答えである英単語に対応した日本語の意味を問題として出力し、
前記回答入力手段は、前記問題出力手段により出力された日本語の意味に対応する英単語を回答として入力させる、
ことを特徴とする請求項１ないし請求項３の何れか１項に記載の学習装置。
【請求項５】
前記問題出力手段は、答えである日本語の単語に対応した英語の意味を問題として出力し、
前記回答入力手段は、前記問題出力手段により出力された英語の意味に対応する日本語の単語を回答として入力させる、
ことを特徴とする請求項１ないし請求項３の何れか１項に記載の学習装置。
【請求項６】
電子機器のコンピュータを制御するためのプログラムであって、
前記コンピュータを、
答えである単語に対応した意味を問題として出力する問題出力手段と、
この問題出力手段により出力された問題に対する回答として単語を入力させる回答入力手段と、
この回答入力手段から入力された単語が正解である場合に正解であることを報知する正解報知手段と、
前記回答入力手段から入力された単語が不正解である場合に前記入力された単語が辞書の見出し語に存在すればその単語の意味を出力する別単語報知手段、
として機能させるためのコンピュータ読み込み可能なプログラム。
【発明の詳細な説明】
【技術分野】
【０００１】
本発明は、単語の学習に好適な学習装置およびその制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
データを暗記する際に活用可能な従来のデータ再生装置であって、単語、イディオム、文章等のテキストデータ、音声等のオーディオデータ、静止画等の画像データ、又は動画等の映像データについての対を成すデータを複数組記憶し、操作命令によって各データを再生することが考えられている（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる携帯型の自己テスト学習機も考えられている（例えば、特許文献３参照。）。
【先行技術文献】
【特許文献】
【０００８】
【特許文献１】特開２００６−３３０５２０号公報
【特許文献２】特開２００９−２６６０２４号公報
【特許文献３】特開平０８−８３０３９号公報
【発明の概要】
【発明が解決しようとする課題】
【０００９】
しかしながら、前記従来の各装置のように、電子データとして記憶した複数の単語とその意味を、単に順番に切り替えて出力させるだけでなく、単語学習をもっと効果的に行いたい要望がある。
【００１０】
本発明は、このような課題に鑑みなされたもので、単語学習をより効果的に行うことが可能になる学習装置およびその制御プログラムを提供することを目的とする。
【課題を解決するための手段】
【００１１】
本発明に係る学習装置は、答えである単語に対応した意味を問題として出力する問題出力手段と、この問題出力手段により出力された問題に対する回答として単語を入力させる回答入力手段と、この回答入力手段から入力された単語が正解である場合に正解であることを報知する正解報知手段と、前記回答入力手段から入力された単語が不正解である場合に前記入力された単語が辞書の見出し語に存在すればその単語の意味を出力する別単語報知手段と、を備えたことを特徴としている。
【発明の効果】
【００１２】
本発明によれば、単語学習をより効果的に行うことが可能になる。
【図面の簡単な説明】
【００１３】
【図１】本発明の学習装置の実施形態に係る電子単語帳１０の外観構成を示す正面図。
【図２】前記電子単語帳１０の電子回路の構成を示すブロック図。
【図３】前記電子単語帳１０の問題データベース２２ｃに記憶された単語学習用問題データの内容を示す図。
【図４】前記電子単語帳１０の学習プログラムに従った単語学習処理を示すフローチャート。
【図５】前記電子単語帳１０の単語学習処理に伴うユーザ操作に応じた動作状態（その１）を示す図。
【図６】前記電子単語帳１０の単語学習処理に伴うユーザ操作に応じた動作状態（その２）を示す図。
【発明を実施するための形態】
【００１４】
以下図面により本発明の実施の形態について説明する。
【００１５】
図１は、本発明の学習装置の実施形態に係る電子単語帳１０の外観構成を示す正面図である。
【００１６】
前記電子単語帳１０は、以下に説明する電子単語帳専用の携帯機器として構成されるか、タッチパネル式の電子辞書、ＰＤＡ(personal digital assistants)、ＰＣ(personal computer)、携帯電話、電子ブック、携帯ゲーム機等として構成される。
【００１７】
この電子単語帳１０は、例えばカードサイズの本体ケースを有し、その正面の下端に沿って横長のキー入力部１１が備えられ、それ以外の領域にタッチパネル式の表示部１５が備えられる。
【００１８】
前記キー入力部１１には、前記表示部１５に表示される問題の表示画面、回答の入力画面、正誤の判定画面、正解の表示画面を、順番に次の画面に切り替えるための［決定］キー１２、［○］キー１３ａ、［×］キー１３ｂ、前記正誤の判定画面から回答の入力画面に戻したり誤り部分の再入力画面に戻したりするための［戻る］キー１４が備えられる（図５、図６参照）。
【００１９】
なお、前記問題と回答とは、単語の意味を問題としその単語を回答としてもよいし、逆に単語を問題としてその意味を回答としてもよい。
【００２０】
図２は、前記電子単語帳１０の電子回路の構成を示すブロック図である。
【００２１】
この電子単語帳１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２２】
このＣＰＵ２１は、記憶装置２２内に予め記憶された単語帳制御プログラム２２ａ、あるいはＲＯＭカードなどの外部記録媒体２３から記録媒体読み取り部２４を介して前記記憶装置２２に読み込まれた単語帳制御プログラム２２ａ、あるいはインターネットＮ上のＷｅｂサーバ（この場合はプログラムサーバ）３０から通信部２５を介して前記記憶装置２２に読み込まれた単語帳制御プログラム２２ａに応じて、ＲＡＭ２６を作業用メモリとして回路各部の動作を制御する。
【００２３】
前記記憶装置２２に記憶された単語帳制御プログラム２２ａは、前記キー入力部１１、タッチパネル式表示部１５からのユーザ操作に応じた入力信号、あるいは前記通信部２５を介して接続されるインターネットＮ上の各Ｗｅｂサーバ３０…や外部の電子機器（電子辞書等）との通信信号に応じて起動される。
【００２４】
このように、前記ＣＰＵ２１には、前記記憶装置２２、記録媒体読み取り部２４、通信部２５、ＲＡＭ２６、キー入力部１１、タッチパネル式表示部１５が接続される他に、単語や意味の読み上げ音声やビープ音等を出力する音声出力部２７が接続される。
【００２５】
前記記憶装置２２には、前記単語帳制御プログラム２２ａとして、当該電子単語帳１０の全体の動作を司るシステムプログラム、前記通信部２５を介してインターネットＮ上の各Ｗｅｂサーバ３０…や図示しない外部の電子機器などとデータ通信するための通信プログラム等が記憶される。また、前記単語帳制御プログラム２２ａとして、辞書データベース２２ｂに基づく辞書検索プログラム、問題データベース２２ｃに基づく学習プログラムが記憶される。
【００２６】
前記辞書データベース２２ｂには、例えば、国語辞典、英和辞典、和英辞典、英英辞典等の各種の辞書が記憶される。
【００２７】
図３は、前記電子単語帳１０の問題データベース２２ｃに記憶された単語学習用問題データの内容を示す図である。
【００２８】
この単語学習用問題データとしては、図３（Ａ）に示すように、例えば英単語の意味（日本語）を問題としその英単語を答えとして対応付けた日本語→英語の問題データと、図３（Ｂ）に示すように、日本語の単語の意味（英語）を問題としその日本語の単語を答えとして対応付けた英語→日本語の問題データとが記憶される。
【００２９】
なお、前記問題データベース２２ｃに記憶される単語学習用問題データとしては、前記英語と日本語とを対応付けた問題データに限らず、当該問題データと同様に、他の異なる言語を対応付けた問題データも記憶される。
【００３０】
前記ＲＡＭ２６には、入力データメモリ２６ａ、表示データメモリ２６ｂなどが確保される。
【００３１】
前記入力データメモリ２６ａには、前記キー入力部１１、タッチパネル式表示部１５のユーザ操作に応じた個々の入力データが逐次記憶される。
【００３２】
前記表示データメモリ２６ｂには、前記タッチパネル式表示部１５の画面に表示させる表示データがビットマップパターンに展開されて記憶される。
【００３３】
このように構成された電子単語帳１０は、前記ＣＰＵ２１が前記単語帳制御プログラム２２ａ（前記辞書検索プログラム、前記学習プログラムを含む）に記述された命令に従い回路各部の動作を制御し、ソフトウエアとハードウエアとが協働して動作することにより、以下の動作説明で述べる機能を実現する。
【００３４】
次に、前記構成の電子単語帳１０の動作について説明する。
【００３５】
図４は、前記電子単語帳１０の学習プログラムに従った単語学習処理を示すフローチャートである。
【００３６】
図５は、前記電子単語帳１０の単語学習処理に伴うユーザ操作に応じた動作状態（その１）を示す図である。
【００３７】
図６は、前記電子単語帳１０の単語学習処理に伴うユーザ操作に応じた動作状態（その２）を示す図である。
【００３８】
以下、具体的な問題を取得した場合を例にとりながら説明する。
ユーザ操作に応じて、前記問題データベース２２ｃに記憶されている日本語→英語の問題データ（図３（Ａ）参照）が選択され、単語学習の開始が指示されると、図５（Ａ）に示すように、前記選択された問題データの問題である意味（日本語）「成功する」が取得されタッチパネル式表示部１５に表示される（ステップＳ１）。
【００３９】
ユーザにより前記表示された問題「成功する」が確認され、キー入力部１１の［決定］キー１２が押下されると（ステップＳ２（Ｙｅｓ））、前記タッチパネル式表示部１５には、前記問題「成功する」の表示画面に替えて、手書きにより回答を入力する画面が表示される（ステップＳ３）。
【００４０】
この回答入力画面において、図５（Ｅ）に示すように、ペンＰにより回答としての英単語「succeed」が手書き入力されて表示され（ステップＳ３）、［決定］キー１２が押下されると（ステップＳ４（Ｙｅｓ））、前記手書き入力された英単語が文字認識される（ステップＳ５）。
【００４１】
そして、前記文字認識された英単語「succeed」と前記問題「成功する」の答えである英単語「succeed」とが一致するか否かにより正誤判定され（ステップＳ６）、正解であると判断されると（ステップＳ７（Ｙｅｓ））、図５（Ｆ）に示すように、当該答えである英単語「succeed」および「○」印が前記表示部１５に表示されると共に、前記音声出力部２７からビープ音「ピンポーン」が出力され、正解であることがユーザに報知される（ステップＳ８）。
【００４２】
この後［決定］キー１２が押下されると（ステップＳ９（Ｙｅｓ））、前記ステップＳ１に戻り、前記選択された問題データの次の問題が表示される。
【００４３】
一方、前記図５（Ａ）で示したように、前記タッチパネル式表示部１５に前記選択された問題データの問題である意味（日本語）「成功する」が表示された後の回答入力画面において（ステップＳ１〜Ｓ３）、図５（Ｂ）に示すように、ペンＰにより回答として誤った英単語「proceed」が手書き入力されて表示され（ステップＳ３）、［決定］キー１２が押下されると（ステップＳ４（Ｙｅｓ））、前記同様に手書き文字の認識処理（ステップＳ５）、正誤判定処理が実行され（ステップＳ６）、不正解と判断される（ステップＳ７（Ｎｏ））。
【００４４】
すると、前記手書き文字認識された回答としての英単語「proceed」が、前記答えである英単語「succeed」とは別の単語として前記辞書データベース２２ｂに記憶されているか否かが判断される（ステップＳ１０）
そして、前記回答としての英単語「proceed」が別の英単語として前記辞書データベース２２ｂに記憶されていると判断されると（ステップＳ１０（Ｙｅｓ））、図５（Ｃ）に示すように、当該別の英単語「proceed」の意味（日本語）「進む」および「×」印が前記表示部１５に表示されると共に、前記音声出力部２７からビープ音「ブッブー」が出力され、不正解であることがユーザに報知される（ステップＳ１１）。
【００４５】
ここで、［決定］キー１２が押下されると（ステップＳ１２（Ｙｅｓ））、図５（Ｄ）に示すように、前記問題データの答えである英単語「succeed」が正解として前記タッチパネル式表示部１５に表示される（ステップＳ１３）。
【００４６】
この後［決定］キー１２が押下されると（ステップＳ９（Ｙｅｓ））、前記ステップＳ１に戻り、前記選択された問題データの次の問題が表示される。
【００４７】
なお、前記図５（Ｃ）で示したように、前記回答として手書き入力された別の英単語「proceed」の意味（日本語）「進む」および「×」印が前記表示部１５に表示され、不正解であることがユーザに報知された状態で（ステップＳ１１）、［戻る］キー１４が押下されると（ステップＳ１４（Ｙｅｓ））、当該表示部１５には、再び、手書きにより回答を入力する画面が表示される（ステップＳ３）。
【００４８】
一方、前記図５（Ａ）で示したように、前記タッチパネル式表示部１５に前記選択された問題データの問題である意味（日本語）「成功する」が表示された後の回答入力画面において（ステップＳ１〜Ｓ３）、図６（Ｂ）に示すように、ペンＰにより回答として誤った綴りの英単語「sucseed」が手書き入力されて表示され（ステップＳ３）、［決定］キー１２が押下されると（ステップＳ４（Ｙｅｓ））、前記同様に手書き文字の認識処理（ステップＳ５）、正誤判定処理が実行され（ステップＳ６）、不正解と判断される（ステップＳ７（Ｎｏ））。
【００４９】
ここで、前記文字認識された誤った綴りの英単語「sucseed」と前記問題「成功する」の答えである英単語「succeed」との所定文字数（例えば２文字）以下の綴りの不一致により、綴りの誤りであると判断されると（ステップＳ１５（Ｙｅｓ））、図６（Ｃ）に示すように、当該綴りの誤り部分「s」に取り消し線ｅが付加され識別表示されると共に、「×」印が表示され、さらに、前記音声出力部２７からビープ音「ブッブー」が出力され、不正解であることがユーザに報知される（ステップＳ１６）。
【００５０】
なお、前記綴りの誤り部分「ｓ」を識別表示してユーザに知らせる方法としては、前記取り消し線ｅを付加する方法に限らず、下線を付加したり、点滅表示したり、薄く表示したり、消去したりする等の方法でもよい。
【００５１】
ここで、［決定］キー１２が押下されると（ステップＳ２０（Ｙｅｓ））、図６（Ｄ）に示すように、前記問題の答えである英単語「succeed」が正解として前記タッチパネル式表示部１５に表示される（ステップＳ２１）。
【００５２】
一方、前記図６（Ｃ）で示したように、綴りの誤り部分「s」に取り消し線ｅが付加されて「×」印が表示された不正解の報知状態において（ステップＳ１６）、［戻る］キー１４が押下されると（ステップＳ１７（Ｙｅｓ））、図６（Ｅ）に示すように、前記綴りの誤り部分「s」が空白ｄに置き換えられた再入力のための画面が表示される（ステップＳ１８）。
【００５３】
ここで、前記綴りの誤り部分「s」が空白ｄに置き換えられた再入力のための英単語「suc□eed」の表示画面において、当該空白ｄの部分に手書き文字が入力されて［決定］キー１２が押下されると（ステップＳ１８，Ｓ１９（Ｙｅｓ））、前記同様に手書き文字の認識処理（ステップＳ５）、正誤判定処理が実行され（ステップＳ６）、正解か不正解が判断される（ステップＳ７）。
【００５４】
なお、前記ステップＳ１５において、前記手書き入力された英単語が綴りの誤りであるか否かを判断する度合いは、前記問題の答えである英単語の綴りとの不一致となる文字数により設定される。
【００５５】
一方、前記手書き文字の認識処理（ステップＳ５）、正誤判定処理（ステップＳ６）を経て、前記手書き入力された回答としての英単語が、不正解と判断された場合であって（ステップＳ７（Ｎｏ））、且つ前記辞書データベース２２ｃに記憶されている別の単語とは一致せず（ステップＳ１０（Ｎｏ））、また前記答えである英単語の綴りと所定文字数を超えて不一致となることにより綴りの誤りでもないと判断された場合は（ステップＳ１５（Ｎｏ））、例えば前記表示部１５の画面一杯に「×」印が表示されると共に前記音声出力部２７によりビープ音「ブッブー」が出力されることで、完全な不正解（間違い）であることがユーザに報知される（ステップＳ２２）。
【００５６】
そして、前記問題データの答えである英単語が正解として前記表示部１５に表示される（ステップＳ２３）。
【００５７】
したがって、前記構成の電子単語帳１０による単語学習機能によれば、タッチパネル式表示部１５に、問題として日本語の意味が表示され、その回答として英単語が手書き入力されると、答えである英単語との一致／不一致により正誤判定され、正解である場合には「○」印が表示されて正解が報知される。一方、不正解である場合に、前記回答としての英単語が辞書データベース２２ｂにある別の英単語である場合には、その英単語の意味（日本語）が「×」印と共に表示されて不正解が報知され、［決定］キー１２の押下に応じて前記答えである英単語が表示される。
【００５８】
このため、問題としての日本語の意味に対し、ユーザが回答した英単語が別の英単語であった場合は、その別の英単語の意味が表示されることによって不正解が知らせるので、単語学習をより効果的に行うことが可能になる。
【００５９】
また、前記構成の電子単語帳１０による単語学習機能によれば、前記ユーザが回答した英単語が不正解である場合に、当該英単語の綴りが誤っている場合には、その綴りの誤り部分が取り消し線ｅ等によって識別表示され、［決定］キー１２の押下に応じて前記答えである英単語が表示される。
【００６０】
このため、ユーザは、回答した英単語に綴りの誤りがある場合はその誤った綴りの部分を認識することができ、単語学習をより効果的に行うことが可能になる。
【００６１】
なお、前記実施形態の動作説明では、前記図３（Ａ）で示した日本語→英語の問題データに基づく単語学習処理について説明したが、前記図３（Ｂ）で示した英語→日本語の問題データに基づく単語学習処理であっても、前記同様に実施することができる。
【００６２】
具体的には、問題として英語の意味「succeed」を表示し、回答として日本語の単語「成功」が入力されると、「○」印が表示されて正解が報知される。一方、回答として「進む」が入力されると、その英語の意味「proceed」と共に「×」印が表示されて不正解が報知される。また、回答として「成坑」が入力されると、綴りの誤りと判断されて「坑」の文字が識別表示されると共に「×」印が表示されて不正解が報知される。そして、［決定］キー１２の押下に応じて答えである日本語の単語「成功」が表示されて正しい綴りが報知される。あるいは［戻る］キー１４の押下に応じて前記綴りの誤りを空白にした「成□」が表示され、回答の再入力が促される。
【００６３】
また、前記実施形態では、本発明の学習装置を専用の電子単語帳１０により実施した場合について説明したが、電子辞書により実施してもよい。
【００６４】
なお、前記実施形態において記載した電子単語帳１０による処理の手法およびデータベース、すなわち、図４のフローチャートに示す単語学習処理等の各手法および辞書データベース２２ｂや問題データベース２２ｃ等の各データベースは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、タッチパネル式の表示部を備えた電子機器のコンピュータ（ＣＰＵ）は、この外部記憶装置の媒体に記憶されたプログラムを記憶装置に読み込み、この読み込んだプログラムによって動作が制御されることにより、前記各実施形態において説明した単語学習機能を実現し、前述した各手法による同様の処理を実行することができる。
【００６５】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータをタッチパネル式の表示部を備えた電子機器に取り込んで記憶装置に記憶させ、前述した単語学習機能を実現することもできる。
【００６６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６７】
以下に、本願出願の当初の特許請求の範囲に記載された発明を付記する。
【００６８】
［１］
答えである単語に対応した意味を問題として出力する問題出力手段と、
この問題出力手段により出力された問題に対する回答として単語を入力させる回答入力手段と、
この回答入力手段から入力された単語が正解である場合に正解であることを報知する正解報知手段と、
前記回答入力手段から入力された単語が不正解である場合に前記入力された単語が辞書の見出し語に存在すればその単語の意味を出力する別単語報知手段と、
を備えたことを特徴とする学習装置。
【００６９】
［２］
前記回答入力手段から入力された単語が不正解である場合に前記入力された単語が前記答えである単語であって綴りの誤った単語であれば、綴りの誤りをユーザに認識させる綴り誤り認識手段と、
を備えたことを特徴とする［１］に記載の学習装置。
【００７０】
［３］
手書きの文字を入力するタッチパネルと、
このタッチパネルに入力された手書きの文字を認識する文字認識手段とを備え、
前記回答入力手段は、前記問題出力手段により出力された問題に対する回答としての単語をユーザ操作に応じて前記タッチパネルに入力させ、前記文字認識手段により認識された回答としての単語が正解か否かを判断させる、
ことを特徴とする［１］または［２］に記載の学習装置。
【００７１】
［４］
前記問題出力手段は、答えである英単語に対応した日本語の意味を問題として出力し、
前記回答入力手段は、前記問題出力手段により出力された日本語の意味に対応する英単語を回答として入力させる、
ことを特徴とする［１］ないし［３］の何れかに記載の学習装置。
【００７２】
［５］
前記問題出力手段は、答えである日本語の単語に対応した英語の意味を問題として出力し、
前記回答入力手段は、前記問題出力手段により出力された英語の意味に対応する日本語の単語を回答として入力させる、
ことを特徴とする［１］ないし［３］の何れかに記載の学習装置。
【００７３】
［６］
電子機器のコンピュータを制御するためのプログラムであって、
前記コンピュータを、
答えである単語に対応した意味を問題として出力する問題出力手段と、
この問題出力手段により出力された問題に対する回答として単語を入力させる回答入力手段と、
この回答入力手段から入力された単語が正解である場合に正解であることを報知する正解報知手段と、
前記回答入力手段から入力された単語が不正解である場合に前記入力された単語が辞書の見出し語に存在すればその単語の意味を出力する別単語報知手段、
として機能させるためのコンピュータ読み込み可能なプログラム。
【符号の説明】
【００７４】
１０  …電子単語帳（学習装置）
１１  …キー入力部
１２  …［決定］キー
１４  …［戻る］キー
１５  …タッチパネル式表示部
２１  …ＣＰＵ
２２  …記憶装置
２２ａ…単語帳制御プログラム
２２ｂ…辞書データベース
２２ｃ…問題データベース
２３  …外部記録媒体
２４  …記録媒体読み取り部
２５  …通信部
２６  …ＲＡＭ
２６ａ…入力データメモリ
２６ｂ…表示データメモリ
２７  …音声出力部
【図１】
2015176000.tif 000003
【図２】
2015176000.tif 000004
【図３】
2015176000.tif 000005
【図４】
2015176000.tif 000006
【図５】
2015176000.tif 000007
【図６】
2015176000.tif 000008
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
第一語句と、前記第一語句と対応する第二語句との組を複数記憶している記憶手段と、
前記第一語句を問題として出力する問題出力手段と、
前記問題出力手段により出力された問題に対する回答として回答語句を入力させる回答入力手段と、
前記回答入力手段から入力された回答語句が、前記問題出力手段により出力された問題に対応する第二語句である場合に正解であることを報知する正解報知手段と、
前記回答入力手段から入力された回答語句が、前記問題出力手段により出力された問題に対応する第二語句でない場合に、前記入力された回答語句に対応する第一語句を出力する不正解報知手段と、
を備えた電子機器。
【請求項２】
前記記憶手段は、前記第一語句として第一言語の語句を記憶し、前記第二語句として前記第一言語の語句に対応する第二言語の語句を記憶している、
請求項１に記載の電子機器。
【請求項３】
前記回答入力手段から入力された回答語句における単語の綴りが誤りであるか判断する綴り判断手段と、
前記綴り判断手段で誤りと判断された綴りの部分をユーザに認知させる綴り誤り指摘手段と、
を備えた請求項２に記載の電子機器。
【請求項４】
前記回答入力手段は、
手書きの文字を入力するタッチパネルと、
前記タッチパネルに入力された手書きの文字を認識する文字認識手段とを備え、
前記回答入力手段は、前記出力された問題に対する回答をユーザに前記タッチパネルに手書き文字を入力させ、前記入力された手書き文字が前記文字認識手段によって認識されて得られた語句が正解か否かを判断させる、
ようにした請求項１に記載の電子機器。
【請求項５】
前記問題出力手段は、第二語句である英語の語句に対応した第一語句である日本語の語句を問題として出力し、
前記回答入力手段は、前記問題出力手段により出力された日本語の語句に対応する英語の語句を回答として入力させる、
ようにした請求項１に記載の電子機器。
【請求項６】
前記問題出力手段は、第二語句である日本語の語句に対応した英語の語句を問題として出力し、
前記回答入力手段は、前記問題出力手段により出力された英語の語句に対応する日本語の語句を回答として入力させる、
ようにした請求項１に記載の電子機器。
【請求項７】
電子機器のコンピュータを制御するためのプログラムであって、
前記コンピュータを、
第一語句と、前記第一語句と対応する第二語句との組を複数記憶している記憶手段と、
前記第一語句を問題として出力する問題出力手段と、
前記問題出力手段により出力された問題に対する回答として回答語句を入力させる回答入力手段と、
前記回答入力手段から入力された回答語句が、前記問題出力手段により出力された問題に対応する第二語句である場合に正解であることを報知する正解報知手段と、
前記回答入力手段から入力された回答語句が、前記問題出力手段により出力された問題に対応する第二語句でない場合に、前記入力された回答語句に対応する第一語句を出力する不正解報知手段、
として機能させるためのコンピュータ読み込み可能なプログラム。
【手続補正３】
【補正対象書類名】明細書
【補正対象項目名】０００１
【補正方法】変更
【補正の内容】
【０００１】
本発明は、単語の学習に好適な電子機器およびその制御プログラムに関する。
【手続補正４】
【補正対象書類名】明細書
【補正対象項目名】００１０
【補正方法】変更
【補正の内容】
【００１０】
本発明は、このような課題に鑑みなされたもので、単語学習をより効果的に行うことが可能になる電子機器およびその制御プログラムを提供することを目的とする。
【手続補正５】
【補正対象書類名】明細書
【補正対象項目名】００１１
【補正方法】変更
【補正の内容】
【００１１】
本発明にかかる電子機器は、第一語句と、前記第一語句と対応する第二語句との組を複数記憶している記憶手段と、前記第一語句を問題として出力する問題出力手段と、前記問題出力手段により出力された問題に対する回答として回答語句を入力させる回答入力手段と、前記回答入力手段から入力された回答語句が、前記問題出力手段により出力された問題に対応する第二語句である場合に正解であることを報知する正解報知手段と、前記回答入力手段から入力された回答語句が、前記問題出力手段により出力された問題に対応する第二語句でない場合に、前記入力された回答語句に対応する第一語句を出力する不正解報知手段と、を備えたことを特徴としている。